(57)【要約】【課題】所定のスペースにおける複数の管理対象物の保管位置を容易に且つ低コストで管理する。【解決手段】位置情報管理装置は、スペースに既に保管されている管理対象物の識別子及び保管位置が記憶されている位置情報記憶部の内容に基づき、保管済みの管理対象物のスペース内における保管位置を表示領域に視覚的に表示する。そして、位置情報管理装置は、スペースに新たに保管される管理対象物の識別子が入力され、入力された識別子によって示される管理対象物の保管位置が表示領域上で入力され、入力された識別子と、入力された保管位置に応じた保管位置情報と、を対応付けて、保管済みの管理対象物の保管位置として位置情報記憶部に記録する。【選択図】    図１２
2006282341.tif 000002
【特許請求の範囲】
【請求項１】
所定のスペースに複数の管理対象物を保管する場合における、前記管理対象物の保管位置を管理する位置情報管理装置であって、
領域上の各位置が前記スペース内における各位置と対応付けられた表示領域と、
前記スペースに既に保管されている前記管理対象物を識別するための識別子と、当該管理対象物の前記スペース内における保管位置を示す情報である保管位置情報と、を対応付けて記憶する位置情報記憶部と、
前記位置情報記憶部に記憶されている前記保管位置情報に基づき、前記スペースに既に保管されている前記管理対象物の前記スペース内における保管位置を前記表示領域に視覚的に表示する保管位置表示部と、
前記スペースに新たに保管される前記管理対象物の識別子が入力される保管対象入力部と、
前記保管対象入力部に入力された前記識別子によって示される前記管理対象物の保管位置が前記表示領域上で入力される保管位置入力部と、
前記保管対象入力部に入力された前記識別子と、前記保管位置入力部に入力された前記保管位置に応じた保管位置情報と、を対応付けて、保管済みの管理対象物の保管位置として前記位置情報記憶部に記録する位置情報更新部と、
を備えることを特徴とする位置情報管理装置。
【請求項２】
請求項１に記載の位置情報管理装置であって、
前記保管位置表示部は、
前記管理対象物の前記スペース内における保管位置とともに、前記位置情報記憶部に記憶されている当該管理対象物の前記識別子を前記表示領域に表示すること、
を特徴とする位置情報管理装置。
【請求項３】
請求項１に記載の位置情報管理装置であって、
前記表示領域上の各位置が前記スペース内の床面における各位置と対応付けられており、
複数の前記管理対象物が積み重ねられて保管されている場合、前記保管位置情報には、前記スペースの床面における位置を示す情報である床面位置情報と、前記管理対象物の前記床面からの段数を示す情報である段情報と、が含まれており、
前記保管位置表示部は、
前記床面位置情報及び前記段情報に基づき、前記管理対象物が保管されている前記床面における位置と、当該位置に積み重ねられている前記管理対象物の段数と、を前記表示領域に視覚的に表示し、
前記保管位置入力部には、
前記保管対象入力部に入力された前記識別子によって示される前記管理対象物の床面における位置が前記表示領域上で入力され、
前記位置情報更新部は、
前記保管位置入力部に入力された前記床面における位置に応じた床面位置情報に対応する前記段情報を前記位置情報記憶部から取得し、取得した当該段情報に基づいて、当該管理対象物の段情報を生成し、
前記保管対象入力部に入力された前記識別子、当該床面位置情報、及び生成した当該段情報を対応付けて、保管済みの管理対象物の保管位置として前記位置情報記憶部に記録すること、
を特徴とする位置情報管理装置。
【請求項４】
請求項１又は２に記載の位置情報管理装置であって、
前記スペースに既に保管されている移動対象の前記管理対象物の保管位置が前記表示領域上で入力される移動元情報入力部と、
当該管理対象物の移動先の保管位置が前記表示領域上で入力される移動先情報入力部と、
を備え、
前記位置情報更新部は、
前記移動元情報入力部に入力された前記保管位置に応じた保管位置情報と対応する前記識別子を前記位置情報記憶部から取得し、
当該識別子と、前記移動先情報入力部に入力された前記保管位置に応じた保管位置情報と、を対応付けて、保管済みの管理対象物の保管位置として前記位置情報記憶部に記録すること、
を特徴とする位置情報管理装置。
【請求項５】
請求項３に記載の位置情報管理装置であって、
前記スペースに既に保管されている移動対象の前記管理対象物の床面における位置が前記表示領域上で入力される移動元情報入力部と、
当該管理対象物の移動先の床面における位置が前記表示領域上で入力される移動先情報入力部と、
を備え、
前記位置情報更新部は、
前記移動元情報入力部に入力された前記床面における位置に応じた床面位置情報に対応する前記識別子のうち、対応する前記段情報が最大の前記識別子を前記位置情報記憶部から取得し、
前記移動先情報入力部に入力された前記床面における位置に応じた床面位置情報に対応する前記段情報を前記位置情報記憶部から取得し、取得した当該段情報に基づいて、当該管理対象物の段情報を生成し、
当該識別子、前記移動先情報入力部に入力された前記床面における位置に応じた床面位置情報、及び生成した当該段情報を対応付けて、保管済みの管理対象物の保管位置として前記位置情報記憶部に記録すること、
を特徴とする位置情報管理装置。
【請求項６】
請求項１〜５のいずれか一項に記載の位置情報管理装置であって、
前記位置情報更新部は、
前記位置情報記憶部に記録する前記識別子及び前記保管位置情報と、当該識別子及び当該保管位置情報を前記位置情報記憶部に記録する際の日付と、を対応付けて所定の履歴情報記憶部に記録すること、
を特徴とする位置情報管理装置。
【請求項７】
所定のスペースに複数の管理対象物を保管する場合において、
領域上の各位置が前記スペース内における各位置と対応付けられた表示領域と、
前記スペースに既に保管されている前記管理対象物を識別するための識別子と、当該管理対象物の前記スペース内における保管位置を示す情報である保管位置情報と、を対応付けて記憶する位置情報記憶部と、
を備える位置情報管理装置を用いて前記管理対象物の保管位置を管理する方法であって、
前記位置情報記憶部に記憶されている前記保管位置情報に基づき、前記スペースに既に保管されている前記管理対象物の前記スペース内における保管位置を前記表示領域に視覚的に表示し、
前記スペースに新たに保管される前記管理対象物の識別子が入力され、
入力された前記識別子によって示される前記管理対象物の保管位置が前記表示領域上で入力され、
入力された前記識別子と、入力された前記保管位置に応じた保管位置情報と、を対応付けて、保管済みの管理対象物の保管位置として前記位置情報記憶部に記録すること、
を特徴とする位置情報管理方法。
【請求項８】
所定のスペースに複数の管理対象物を保管する場合において、
領域上の各位置が前記スペース内における各位置と対応付けられた表示領域と、
前記スペースに既に保管されている前記管理対象物を識別するための識別子と、当該管理対象物の前記スペース内における保管位置を示す情報である保管位置情報と、を対応付けて記憶する位置情報記憶部と、
を備える位置情報管理装置に、
前記位置情報記憶部に記憶されている前記保管位置情報に基づき、前記スペースに既に保管されている前記管理対象物の前記スペース内における保管位置を前記表示領域に視覚的に表示する手順と、
前記スペースに新たに保管される前記管理対象物の識別子が入力される手順と、
入力された前記識別子によって示される前記管理対象物の保管位置が前記表示領域上で入力される手順と、
入力された前記識別子と、入力された前記保管位置に応じた保管位置情報と、を対応付けて、保管済みの管理対象物の保管位置として前記位置情報記憶部に記録する手順と、
を実行させるためのプログラム。
【発明の詳細な説明】
【技術分野】
【０００１】
本発明は、例えば低レベル放射性固体廃棄物（以後、「廃棄物」と称する。）を格納したドラム缶等の管理対象物を保管する固体廃棄物貯蔵所（以後、「貯蔵所」と称する。）における各管理対象物の保管位置を管理する位置情報管理装置、位置情報管理方法、及びプログラムに関する。
【背景技術】
【０００２】
例えば、原子力発電所において発生する低レベル放射性廃棄物は複数のドラム缶等に格納され貯蔵所に保管される。廃棄物が格納されたドラム缶は、フォークリフト等を用いて貯蔵所内に整列保管される。各ドラム缶は同一の外観を呈する。このため、１つの貯蔵所に複数のドラム缶を保管する場合、各ドラム缶を識別しその保管位置を特定しつつ、当該貯蔵所内に保管してゆく必要がある。
【０００３】
一方、ドラム缶等の保管対象物にバーコードを付して、所定のスペースにおける各保管対象物の保管位置を管理するシステムが知られている（例えば、特許文献１参照。）。このシステムでは、バーコードに記録された保管対象の識別情報ごとに、予め定められた保管位置の情報を記憶したデータベースが参照される。
【特許文献１】特開２００３−２４１５号公報
【発明の開示】
【発明が解決しようとする課題】
【０００４】
ところで、前述した貯蔵所内には廃棄物が格納されたドラム缶等の保管の目安となる表示等が付されていない場合がある。しかも、一旦廃棄物が持ち込まれた後に、貯蔵所内に表示等を付すことは作業の安全性の観点から困難であり且つコストが嵩む場合がある。このため、保管位置が予め特定可能であることを前提とする特許文献１に開示されたシステムを、例えば廃棄物の管理に適用することは困難であり、また高コストである。
【０００５】
また、ＧＰＳ装置を用いて保管対象物の保管位置を特定する方法もあるが、原子力発電所の貯蔵所は堅牢な構造を有するため、屋内にＧＰＳ衛星からの電波が届かず、ＧＰＳ装置を用いた貯蔵所内外間の無線通信を通じて個々のドラム缶の保管位置を検出することは困難である。しかも、廃棄物が格納された各ドラム缶にＧＰＳ装置を設けることは、高コストでもある。
【０００６】
本発明はかかる課題に鑑みてなされたものであり、その目的とするところは、所定のスペースにおける複数の管理対象物の保管位置を容易に且つ低コストで管理することにある。
【課題を解決するための手段】
【０００７】
上記目的を達成するため、本発明の位置情報管理装置は、所定のスペースに複数の管理対象物を保管する場合における、前記管理対象物の保管位置を管理する位置情報管理装置であって、領域上の各位置が前記スペース内における各位置と対応付けられた表示領域と、前記スペースに既に保管されている前記管理対象物を識別するための識別子と、当該管理対象物の前記スペース内における保管位置を示す情報である保管位置情報と、を対応付けて記憶する位置情報記憶部と、前記位置情報記憶部に記憶されている前記保管位置情報に基づき、前記スペースに既に保管されている前記管理対象物の前記スペース内における保管位置を前記表示領域に視覚的に表示する保管位置表示部と、前記スペースに新たに保管される前記管理対象物の識別子が入力される保管対象入力部と、前記保管対象入力部に入力された前記識別子によって示される前記管理対象物の保管位置が前記表示領域上で入力される保管位置入力部と、前記保管対象入力部に入力された前記識別子と、前記保管位置入力部に入力された前記保管位置に応じた保管位置情報と、を対応付けて、保管済みの管理対象物の保管位置として前記位置情報記憶部に記録する位置情報更新部と、を備えることとする。
【０００８】
ここで、管理対象物とは、例えば、原子力発電所において発生する廃棄物が格納されたドラム缶や鉄箱等である。また、識別子とは、管理対象物を識別するための情報、つまり、ドラム缶等に格納された廃棄物を識別するための情報である。識別子は、例えば、ドラム缶等の表面にバーコードや識別番号として付すこともできる。
【０００９】
この位置情報管理装置においては、保管済みの管理対象物の保管位置が表示領域に視覚的に表示される。これにより、作業者は、保管済みの管理対象物の保管位置をもとに、新たに保管する管理対象物の保管位置を表示領域上で指定することができる。そして、このように表示領域上で指定された位置が、その管理対象物の保管位置として位置情報記憶部に記憶される。
【００１０】
このように、本発明の位置情報管理装置を用いることにより、所定のスペースにおける複数の管理対象物の保管位置を、床面への表示やＧＰＳ装置等を要することなく、容易に且つ低コストで管理することができる。
【００１１】
また、前記保管位置表示部は、前記管理対象物の前記スペース内における保管位置とともに、前記位置情報記憶部に記憶されている当該管理対象物の前記識別子を前記表示領域に表示することとしてもよい。
【００１２】
作業者は、表示領域に保管位置とともに表示された識別子と、スペース内に保管されたドラム缶等に付されている識別子とを比較することにより、表示領域における位置がスペース内のどの位置にあたるかを容易に判断することができる。したがって、所定のスペースにおける複数の管理対象物の保管位置を、床面への表示やＧＰＳ装置等を要することなく、容易に且つ低コストで管理することができる。
【００１３】
また、前記表示領域上の各位置が前記スペース内の床面における各位置と対応付けられており、複数の前記管理対象物が積み重ねられて保管されている場合、前記保管位置情報には、前記スペースの床面における位置を示す情報である床面位置情報と、前記管理対象物の前記床面からの段数を示す情報である段情報と、が含まれており、前記保管位置表示部は、前記床面位置情報及び前記段情報に基づき、前記管理対象物が保管されている前記床面における位置と、当該位置に積み重ねられている前記管理対象物の段数と、を前記表示領域に視覚的に表示し、前記保管位置入力部には、前記保管対象入力部に入力された前記識別子によって示される前記管理対象物の床面における位置が前記表示領域上で入力され、前記位置情報更新部は、前記保管位置入力部に入力された前記床面における位置に応じた床面位置情報に対応する前記段情報を前記位置情報記憶部から取得し、取得した当該段情報に基づいて、当該管理対象物の段情報を生成し、前記保管対象入力部に入力された前記識別子、当該床面位置情報、及び生成した当該段情報を対応付けて、保管済みの管理対象物の保管位置として前記位置情報記憶部に記録することとしてもよい。
【００１４】
この位置情報管理装置においては、管理対象物の床面における位置及び当該位置における積み重ねの段数が表示領域に表示される。したがって、作業者は、新たに保管する管理対象物の保管位置を決める際に、当該表示を参照することにより、どの位置の何段目に保管することができるかを容易に判断することができる。作業者が新たに保管する管理対象物の保管位置を表示領域上で指定すると、その位置に既に保管されている管理対象物の段数に基づいて、新たな段数が生成される。そして、生成された段数及び指定された床面における位置が、当該管理対象物の保管位置として位置情報記憶部に記憶される。
【００１５】
つまり、所定のスペースに管理対象物を積み重ねて保管する場合において、複数の管理対象物の保管位置を、床面への表示やＧＰＳ装置等を要することなく、容易に且つ低コストで管理することができる。
【００１６】
また、前記位置情報管理装置は、前記スペースに既に保管されている移動対象の前記管理対象物の保管位置が前記表示領域上で入力される移動元情報入力部と、当該管理対象物の移動先の保管位置が前記表示領域上で入力される移動先情報入力部と、を備え、前記位置情報更新部は、前記移動元情報入力部に入力された前記保管位置に応じた保管位置情報と対応する前記識別子を前記位置情報記憶部から取得し、当該識別子と、前記移動先情報入力部に入力された前記保管位置に応じた保管位置情報と、を対応付けて、保管済みの管理対象物の保管位置として前記位置情報記憶部に記録することとしてもよい。
【００１７】
この位置情報管理装置においては、作業者が既に保管されている管理対象物の位置と移動先の位置とを表示領域上で指定することにより、位置情報記憶部に記憶されている管理対象物の保管位置が更新される。移動対象の管理対象物の位置（移動元の位置）及び移動先の位置の指定は、例えば、表示領域上でクリック・アンド・クリックの操作により行うことができる。つまり、所定のスペースに保管済みの管理対象物を移動する際に、複数の管理対象物の保管位置を、床面への表示やＧＰＳ装置等を要することなく、容易に且つ低コストで管理することができる。
【００１８】
また、複数の前記管理対象物が積み重ねられて保管される場合において、前記スペースに既に保管されている移動対象の前記管理対象物の床面における位置が前記表示領域上で入力される移動元情報入力部と、当該管理対象物の移動先の床面における位置が前記表示領域上で入力される移動先情報入力部と、を備え、前記位置情報更新部は、前記移動元情報入力部に入力された前記床面における位置に応じた床面位置情報に対応する前記識別子のうち、対応する前記段情報が最大の前記識別子を前記位置情報記憶部から取得し、前記移動先情報入力部に入力された前記床面における位置に応じた床面位置情報に対応する前記段情報を前記位置情報記憶部から取得し、取得した当該段情報に基づいて、当該管理対象物の段情報を生成し、当該識別子、前記移動先情報入力部に入力された前記床面における位置に応じた床面位置情報、及び生成した当該段情報を対応付けて、保管済みの管理対象物の保管位置として前記位置情報記憶部に記録することとしてもよい。
【００１９】
積み重ねられて保管されている管理対象物を別の場所に移動する場合、最も上の段にある管理対象物から順に移動されることとなる。位置情報管理装置においては、作業者が既に保管されている管理対象物の床面位置と移動先の床面位置とを表示領域上で指定することにより、移動元の床面位置の最上段に保管されている管理対象物の保管位置が移動先の床面位置の最上段の位置に更新される。つまり、所定のスペースに積み重ねられて保管されている管理対象物を移動する際に、複数の管理対象物の保管位置を、床面への表示やＧＰＳ装置等を要することなく、容易に且つ低コストで管理することができる。
【００２０】
また、前記位置情報更新部は、前記位置情報記憶部に記録する前記識別子及び前記保管位置情報と、当該識別子及び当該保管位置情報を前記位置情報記憶部に記録する際の日付と、を対応付けて所定の履歴情報記憶部に記録することとしてもよい。
【００２１】
これによれば、管理対象物のスペース内における保管位置の移動の履歴が履歴情報記憶部に記録される。履歴情報記憶部を参照することにより、廃棄物がいつどこに保管されていたかを確認することができる。つまり、所定のスペースにおける複数の管理対象物の保管位置の履歴情報を、床面への表示やＧＰＳ装置等を要することなく、容易に且つ低コストで管理することができる。
【００２２】
また、本発明の位置情報管理方法は、所定のスペースに複数の管理対象物を保管する場合において、領域上の各位置が前記スペース内における各位置と対応付けられた表示領域と、前記スペースに既に保管されている前記管理対象物を識別するための識別子と、当該管理対象物の前記スペース内における保管位置を示す情報である保管位置情報と、を対応付けて記憶する位置情報記憶部と、を備える位置情報管理装置を用いて前記管理対象物の保管位置を管理する方法であって、前記位置情報記憶部に記憶されている前記保管位置情報に基づき、前記スペースに既に保管されている前記管理対象物の前記スペース内における保管位置を前記表示領域に視覚的に表示し、前記スペースに新たに保管される前記管理対象物の識別子が入力され、入力された前記識別子によって示される前記管理対象物の保管位置が前記表示領域上で入力され、入力された前記識別子と、入力された前記保管位置に応じた保管位置情報と、を対応付けて、保管済みの管理対象物の保管位置として前記位置情報記憶部に記録することとする。
【００２３】
この位置情報管理方法においては、作業者は、保管済みの管理対象物の保管位置をもとに、新たに保管する管理対象物の保管位置を表示領域上で指定することができる。そして、このように表示領域上で指定された位置が、その管理対象物の保管位置として位置情報記憶部に記憶される。
【００２４】
このように、本発明の位置情報管理方法により、所定のスペースにおける複数の管理対象物の保管位置を、床面への表示やＧＰＳ装置等を要することなく、容易に且つ低コストで管理することができる。
【００２５】
また、本発明のプログラムは、所定のスペースに複数の管理対象物を保管する場合において、領域上の各位置が前記スペース内における各位置と対応付けられた表示領域と、前記スペースに既に保管されている前記管理対象物を識別するための識別子と、当該管理対象物の前記スペース内における保管位置を示す情報である保管位置情報と、を対応付けて記憶する位置情報記憶部と、を備える位置情報管理装置に、前記位置情報記憶部に記憶されている前記保管位置情報に基づき、前記スペースに既に保管されている前記管理対象物の前記スペース内における保管位置を前記表示領域に視覚的に表示する手順と、前記スペースに新たに保管される前記管理対象物の識別子が入力される手順と、入力された前記識別子によって示される前記管理対象物の保管位置が前記表示領域上で入力される手順と、入力された前記識別子と、入力された前記保管位置に応じた保管位置情報と、を対応付けて、保管済みの管理対象物の保管位置として前記位置情報記憶部に記録する手順と、を実行させるものとする。
【００２６】
このプログラムを位置情報管理装置に実行させることにより、作業者は、保管済みの管理対象物の保管位置をもとに、新たに保管する管理対象物の保管位置を表示領域上で指定することができる。そして、このように表示領域上で指定された位置が、その管理対象物の保管位置として位置情報記憶部に記憶される。
【００２７】
このように、本発明のプログラムにより、所定のスペースにおける複数の管理対象物の保管位置を、床面への表示やＧＰＳ装置等を要することなく、容易に且つ低コストで管理することができる。
【発明の効果】
【００２８】
本発明によれば、所定のスペースにおける複数の管理対象物の保管位置を容易に且つ低コストで管理する位置情報管理装置、位置情報管理方法、及びプログラムを提供することができる。
【発明を実施するための最良の形態】
【００２９】
＝＝全体構成＝＝
図１は、本発明に係る位置情報管理装置の一実施形態である作業端末３を含んで構成される情報処理システムの構成を示す図である。本情報処理システムは、原子力発電所において発生する廃棄物が格納されたドラム缶等の貯蔵所内における保管位置を管理するためのものである。
【００３０】
情報処理システムは、データベースサーバ（以後、「ＤＢサーバ」と称する。）１、パーソナルコンピュータ（以後、「ＰＣ」と称する。）２、及び作業端末３を含んで構成されている。ＤＢサーバ１は、コンピュータルーム等に設置されており、当該情報処理システムにおける各種のデータベースを備えている。ＰＣ２は、発電所の事務所等に設置されており、ＬＡＮ（Local Area Network）等のネットワーク４を介してＤＢサーバ１と通信可能に接続されている。作業者は、ＰＣ２を用いて、ＤＢサーバ１の各種データベースを更新することが可能である。作業端末３は、例えば、タブレット型ＰＣやノート型ＰＣ、デスクトップ型ＰＣ、ＰＤＡ（Personal Digital Assistance）等である。
【００３１】
貯蔵所５には、管理対象物であるドラム缶６等が整列保管されている。貯蔵所５の入口７には、ネットワーク４と無線でデータの送受信を行うための中継器である無線アクセスポイント（以後「無線ＡＰ」と称する）８が保管されている。作業端末３は、この無線ＡＰ８を介して、ＤＢサーバ１との間でデータの送受信を行うことができる。
【００３２】
例えば、貯蔵所５にドラム缶６を新たに保管する場合、作業者は、作業端末３を貯蔵所入口７に持って行き、保管位置の管理に必要となるデータをＤＢサーバ１からダウンロードする。その後、作業者は、貯蔵所５内に作業端末３を持ち込み、貯蔵所５内におけるドラム缶６の保管位置を作業端末３に登録する。作業終了後、作業者は貯蔵所５を出て、作業端末３に登録されたドラム缶６の保管位置のデータ等をＤＢサーバ１にアップロードする。
【００３３】
図２は、貯蔵所５に保管される管理対象物の外観を示す図である。管理対象物としては、ドラム缶６、鉄箱１０、及びその他の容器がある。ドラム缶６及び鉄箱１０には、各種廃棄物が格納される。また、その他の容器とは、ドラム缶６及び鉄箱１０以外の容器であり、その形態や格納される廃棄物は様々である。図３は、貯蔵所５の床面１５を示す図である。床面１５には、ドラム缶６及び鉄箱１０の保管領域１６と、その他の容器の保管領域１７とがある。
【００３４】
図４は、ドラム缶６及び鉄箱１０の保管の一例を示す図である。図４（ａ）は、貯蔵所５の上面から見た図である。図に示すように、ドラム缶６ａ〜６ｅ及び鉄箱１０ａは、床面１５上に整列保管されている。例えば、ドラム缶６ａは、床面１５の保管領域１６における１行目の１列目に、ドラム缶６ｂは、１行目の２列目に保管されている。この、行及び列を示す情報を、床面位置情報と称することとする。また、鉄箱１０はドラム缶６よりも大きいため、ドラム缶６の２行×２列分のスペースが必要である。図に示す鉄箱１０ａは、行１・２、列４・５の位置に保管されている。
【００３５】
なお、保管領域１６における行及び列は、あらかじめ線等を用いて区分された領域ではなく、床面１５に保管されたドラム缶６等の相対的な位置関係により生じるものである。
【００３６】
図４（ｂ）は、図４（ａ）を矢印の方向から見た図である。図に示すように、ドラム缶６及び鉄箱１０は、積み重ねて保管することが可能である。例えば、ドラム缶６ｆの上に、ドラム缶６ｅが積まれている。つまり、床面１５の行２，列２の位置の１段目にドラム缶６ｆが保管され、２段目にドラム缶６ｅが保管されている。この、段を示す情報を、段情報と称することとする。
【００３７】
図５は、ドラム缶６及び鉄箱１０以外の容器の保管の一例を示す図である。図に示すように、複数の容器がまとめられて１つの場所に保管される。例えば、３つの容器２１ａ〜２１ｃは、床面１５の保管領域１７における１行目の１列目にまとめて保管されている。また、４つの容器２２ａ〜２２ｄは、１行目の２列目にまとめて保管されている。なお、これらの容器は１段積みとしてもよいし、あるいはドラム缶６及び鉄箱１０と同様に複数段に積むこととしてもよい。
【００３８】
＝＝ハードウェア構成＝＝
図６は、作業端末３のハードウェア構成を示す図である。作業端末３は、ＣＰＵ３１、メモリ３２、記憶装置３３、通信インタフェース３４、ディスプレイ３５、及び入力装置３６を備えている。ＣＰＵ３１は、メモリ３２に記憶されたプログラムを実行することにより、作業端末３の制御を行う。記憶装置３３とは、プログラムやデータ等を記憶する装置であり、例えば、ハードディスクドライブ等である。ＣＰＵ３１がプログラムを実行する際には、記憶装置３３に記憶されているプログラムが順次メモリ３２に格納される。
【００３９】
通信インタフェース３４は、無線ＡＰ８及びネットワーク４を介してＤＢサーバ１とデータの送受信を行うためのインタフェースである。ディスプレイ３５は、様々な情報を表示する装置であり、液晶ディスプレイや有機ＥＬ（electroluminescence）ディスプレイ等である。入力装置３６は、作業者からの入力を受け付ける装置であり、例えば、マウスやキーボード、ディスプレイ３５の上に設けられたタッチパネル及びスタイラスペン等である。また、入力装置３６として、バーコードリーダ等を用いることも可能である。
【００４０】
＝＝データ構造＝＝
次に、ＤＢサーバ１上に構成されているデータベース（以後、「ＤＢ」と称する。）の構造について説明する。図７は、管理対象物の貯蔵所５内における保管位置を記憶する貯蔵所座標ＤＢ（本発明の「位置情報記憶部」に該当する。）の構造を示す図である。貯蔵所座標ＤＢは、ドラム缶６及び鉄箱１０の保管位置を示す貯蔵所座標ＤＢ（ドラム缶・鉄箱）５１と、ドラム缶６及び鉄箱１０以外の容器の保管位置を示す貯蔵所座標ＤＢ（その他）５２とで構成されている。
【００４１】
貯蔵所座標ＤＢ５１，５２には、廃棄物コード及び保管位置情報が含まれている。廃棄物コードとは、廃棄物が格納されたドラム缶６等の管理対象物を識別するための識別子である。なお、廃棄物コードには、廃棄物が格納された容器がドラム缶・鉄箱であるか、その他の容器であるかを識別するコードも含まれていることとする。例えば、廃棄物コードの１桁目に、容器を識別するためのコードを設定すること等が可能である。保管位置情報とは、管理対象物の保管位置を示す情報であり、貯蔵所５の棟・階、貯蔵所５内における行・列・段が含まれている。
【００４２】
図８は、貯蔵所５に新たに保管される管理対象物に関する情報を記憶する仮置きＤＢ５３の構造を示す図である。仮置きＤＢ５３には、廃棄物コード及び貯蔵所コードが含まれている。貯蔵所コードとは、管理対象物を保管する貯蔵所５の棟・階を示す情報である。図９は、廃棄物に関する様々な情報を記憶する廃棄物情報ＤＢ５４の構造を示す図である。この廃棄物情報ＤＢ５４には、例えば、廃棄物の内容や廃棄物がドラム缶６等に充填された日付である充填年月日等が含まれる。仮置きＤＢ５３及び廃棄物情報ＤＢ５４のデータは、貯蔵所５内での保管作業の前に、あらかじめ事務所のＰＣ２を用いて登録されていることとする。
【００４３】
図１０は、廃棄物の貯蔵所５における移動の履歴を記憶する廃棄物履歴ＤＢ（本発明の「履歴情報記憶部」に該当する。）５５の構造を示す図である。廃棄物履歴ＤＢ５５には、廃棄物コード、保管位置情報、及び作業年月日が含まれている。この作業年月日には、貯蔵所５内において管理対象物を保管位置情報で示される位置に保管・移動した日付が設定される。この廃棄物履歴ＤＢ５５を参照することにより、管理対象物の貯蔵所５における移動の履歴を確認することができる。
【００４４】
＝＝機能構成＝＝
図１１は、作業端末３が備える機能の構成を示す図である。作業端末３は、保管予定表示部７０、保管位置表示部７１、情報表示部７２、保管対象入力部７３、保管位置入力部７４、移動元情報入力部７５、移動先情報入力部７６、及び位置情報更新部７７を備えている。これらの各部７０〜７７は、ＣＰＵ３１がメモリ３２に記憶されているプログラムを実行することにより実現される。各部７０〜７７の詳細については後述する。
【００４５】
＝＝画面＝＝
次に、作業端末３のディスプレイ３５に表示される画面について説明する。
【００４６】
（１）管理対象物を保管する際の画面
図１２は、貯蔵所５にドラム缶６又は鉄箱１０を保管する際に表示される画面の一例を示す図である。画面には、貯蔵所選択エリア１０１、容器選択エリア１０２、表示選択エリア１０３、保管予定の管理対象物の表示エリア（以後、「仮置き場」と称する。）１０４、貯蔵所５内の床面１５上における各位置と対応付けられた保管位置表示エリア（本発明の「表示領域」に該当する。）１０５、場所表示エリア１０６、情報表示エリア１０７、およびモード変更エリア１０９が含まれている。
【００４７】
貯蔵所選択エリア１０１では、保管作業の対象となる貯蔵所５の棟・階を選択することができる。図１２では、「Ｂ１（Ｂ棟の１階）」が選択されている。容器選択エリア１０２では、保管作業の対象がドラム缶・鉄箱であるか、その他の容器であるかを選択することができる。図１２では、「ドラム缶・鉄箱」が選択されている。表示選択エリア１０３では、保管位置表示エリア１０５の表示を「標準」と「詳細」に切り替えることができる。図１２では、「標準」が選択されている。モード変更エリア１０９では「設置モード」と「閲覧モード」に切り替えることができる。図１２では、「設置モード」が選択されている。
【００４８】
仮置き場１０４には、貯蔵所「Ｂ１」に新たに保管されるドラム缶・鉄箱の廃棄物コードが表示されている。保管位置表示エリア１０５には、貯蔵所「Ｂ１」に既に保管済みのドラム缶・鉄箱の保管位置が表示される。図に示すように、保管位置表示エリア１０５には、複数のセル１０８が設けられており、各セルは貯蔵所５の床面１５における各位置（行・列）と対応付けられている。また、各セルにおける表示により、各位置における段数を示している。
【００４９】
例えば、ドラム缶６の場合、１段は「○」、２段は「◎」、３段は「●」と表示される。同様に、鉄箱１０の場合、１段は「◇」、２段は「□」、３段は「■」と表示される。なお、前述したように、鉄箱１０の保管には、２行×２列分のスペースが必要であるため、表示もそれに沿ったものとなっている。つまり、図１２の例では、３つの鉄箱が１つの位置に３段に積まれていることを示している。なお、保管位置表示エリア１０５における「×」の表示は、柱が設置されていること等により、ドラム缶６等を保管することができない領域を示すものである。
【００５０】
場所表示エリア１０６には、保管位置表示エリア１０５に表示されている保管位置が、貯蔵所「Ｂ１」全体のどの辺りであるかが示されている。作業者は、保管位置表示エリア１０５を上下左右にスクロールさせることにより、貯蔵所「Ｂ１」内の他の位置を保管位置表示エリア１０５に表示させることができる。情報表示エリア１０７には、作業者が保管位置表示エリア１０５で選択した位置に保管されている管理対象物の廃棄物コードや内容物等の情報が表示される。
【００５１】
作業者は、貯蔵所「Ｂ１」において新たに管理対象物を保管する際に、仮置き場１０４に表示された廃棄物コードを選択し、その廃棄物コードによって示される管理対象物を保管する位置を保管位置表示エリア１０５上で指定する。つまり、仮置き場１０４に表示された廃棄物コードが保管位置表示エリア１０５上の該当位置にクリック・アンド・クリックされる。なお、前述した通り貯蔵所５の床面１５には行・列の区切りが設けられていないが、作業者は保管位置表示エリア１０５に表示されているドラム缶・鉄箱の表示をもとに、新たに保管する管理対象物の位置を指定することができる。このようにして保管位置が指定されると、図１３に示す詳細表示画面に切り替わる。
【００５２】
図１３の保管位置表示エリア１１０には、各位置に保管されたドラム缶・鉄箱の廃棄物コードが、保管された段と対応付けられて表示される。例えば、廃棄物コード「Ｂ−０４２００３」、「Ｂ−０４２００２」、「Ｂ−０４２００１」の三つのドラム缶６が、床面１５の同じ位置（行・列）に下から順に積み重ねられていることが示されている。そして、作業者が図１２の保管位置表示エリア１０５で指定した位置に対応する箇所１１１が赤色で表示される。そして、図１４に示す確認メッセージ１２０が表示され、「はい」ボタン１２１が押下されると、管理対象物の保管位置が確定する。なお、作業者は、新たに保管する廃棄物の保管位置を、図１３に示した詳細表示画面の保管位置表示エリア１１０で指定することもできる。
【００５３】
図１５は、図１２の容器選択エリア１０２において「その他」を選択することにより表示される画面の一例を示す図である。「その他」が選択されると、仮置き場１０４には、貯蔵所「Ｂ１」に新たに保管されるドラム缶・鉄箱以外の容器の廃棄物コードが表示される。保管位置表示エリア１２５には、貯蔵所「Ｂ１」に既に保管済みのドラム缶・鉄箱以外の容器の保管位置が表示される。前述したように、ドラム缶・鉄箱以外の場合、複数の容器がまとめられて１つの場所に保管されるため、保管位置表示エリア１２５の１つのセルに、容器を示す「○」が複数表示されている。また、情報表示エリア１２６には、保管位置表示エリア１２５において選択されたセルに表示されている複数の廃棄物の内容が表示される。
【００５４】
なお、保管位置表示エリア１２５および情報表示エリア１２６の表示以外については、ドラム缶・鉄箱の場合と同様であるため、以後、ドラム缶・鉄箱の場合の画面について説明する。
【００５５】
（２）管理対象物を移動する際の画面
図１６は、貯蔵所「Ｂ１」に保管済みの管理対象物を貯蔵所「Ｂ１」内で移動する際の画面の一例を示す図である。作業者は、保管済みのドラム缶・鉄箱の保管位置が表示された保管位置表示エリア１０５において、移動対象の管理対象物が保管されている位置と、移動先の位置を指定する。つまり、保管位置表示エリア１０５に表示された管理対象物の表示が移動先の位置までクリック・アンド・クリックされる。移動先の位置が指定されると、図１７に示す詳細表示画面に切り替わる。
【００５６】
図１７においては、図１６の保管位置表示エリア１０５において指定された移動元の位置に対応する箇所の最上段１３０が太枠で表示され、移動先の位置に対応する箇所１３１の最上段が赤色で表示される。そして、図１８に示す確認メッセージ１４０が表示され、「はい」ボタン１４１が押下されると、管理対象物の移動が確定する。
【００５７】
図１９は、貯蔵所「Ｂ１」に保管済みの管理対象物を別の棟または階の貯蔵所５に移動する際の画面の一例を示す図である。作業者は、保管位置表示エリア１０５において移動対象の管理対象物が保管されている位置を選択し、仮置き場１０４に移動する（クリック・アンド・クリック）。この操作が行われると、図２０に示す詳細表示画面に切り替わる。
【００５８】
図２０においては、図１９の保管位置表示エリア１０５において指定された移動元の位置に対応する箇所の最上段１５０が太枠で表示される。そして、図２１に示す確認メッセージ１６０が表示され、「はい」ボタン１６１が押下されると、図２２に示すように指定された管理対象物の廃棄物コードが仮置き場に表示される。
【００５９】
仮置き場に表示された廃棄物コードは、仮置きＤＢ５３に登録される。そして、この仮置きＤＢ５３がＤＢサーバ１にアップロードされ、ＰＣ２を用いて当該廃棄物の移動先の棟・階が設定される。その後、仮置きＤＢ５３が作業端末３にダウンロードされ、貯蔵所選択エリア１０１において移動先の貯蔵所５が選択されると、移動対象の管理対象物の廃棄物コードが仮置き場１０４に表示される。移動先の貯蔵所５において保管位置を決定する際の画面は、図１２〜図１４と同じである。
【００６０】
＝＝処理説明＝＝
次に、作業端末３において実行される処理について説明する。なお、各処理が実行される前に、作業端末３には、ＤＢサーバ１から貯蔵所座標ＤＢ５１，５２、仮置きＤＢ５３、廃棄物情報ＤＢ５４がダウンロードされていることとする。
【００６１】
（１）初期処理
図２３は、作業端末３において図１２に示した画面を起動した際に実行される初期処理のフローチャートである。まず、作業者が図１２に示した画面の貯蔵所選択エリア１０１で対象の貯蔵所５を選択する（Ｓ２３０１）。作業端末３の保管予定表示部７０は、選択された貯蔵所５に該当する管理対象物（ドラム缶・鉄箱）の廃棄物コードを仮置きＤＢ５３から抽出し（Ｓ２３０２）、抽出した廃棄物コードを仮置き場１０４に表示する（Ｓ２３０３）。そして、作業端末３の保管位置表示部７１は、選択された貯蔵所５に保管済みの管理対象物の保管位置情報を貯蔵所座標ＤＢ（ドラム缶・鉄箱）５１から抽出し（Ｓ２３０４）、抽出した保管位置情報に基づいて、管理対象物の保管位置を保管位置表示エリア１０５に表示する（Ｓ２３０５）。
【００６２】
（２）容器切り替え処理
図２４は、図１２に示した画面の容器選択エリア１０２において「その他」が選択された際に実行される処理のフローチャートである。まず、作業者が容器選択エリア１０２において「その他」を選択する（Ｓ２４０１）。作業端末３の保管予定表示部７０は、選択された貯蔵所５に該当する管理対象物（その他）の廃棄物コードを仮置きＤＢ５３から抽出し（Ｓ２４０２）、抽出した廃棄物コードを図１５に示した画面の仮置き場１０４に表示する（Ｓ２４０３）。そして、作業端末３の保管位置表示部７１は、選択された貯蔵所５に保管済みの管理対象物の保管位置情報を貯蔵所座標ＤＢ（その他）５２から抽出し（Ｓ２４０４）、抽出した保管位置情報に基づいて、管理対象物の保管位置を保管位置表示エリア１２５に表示する（Ｓ２４０５）。
【００６３】
なお、作業者が図１５の画面に示した容器選択エリア１０２において「ドラム缶・鉄箱」を選択すると、図２３に示した処理（Ｓ２３０２〜Ｓ２３０５）が実行される。
【００６４】
（３）表示切り替え処理
図２５は、図１２に示した画面の表示選択エリア１０３において「詳細」が選択された際に実行される処理のフローチャートである。まず、作業者が表示選択エリア１０３において「詳細」を選択する（Ｓ２５０１）。作業端末３の保管位置表示部７１は、貯蔵所選択エリア１０１において選択されている貯蔵所に保管済みの管理対象物の保管位置情報及び廃棄物コードを貯蔵所座標ＤＢ（ドラム缶・鉄箱）５１から抽出する（Ｓ２５０２）。そして、保管位置表示部７１は、抽出した保管位置情報及び廃棄物コードに基づいて、管理対象物の保管位置及び廃棄物コードを図１３に示した保管位置表示エリア１１０に表示する（Ｓ２５０３）。
【００６５】
なお、作業者が図１３の画面に示した表示選択エリア１０３において「標準」を選択すると、保管位置表示部７１は、抽出した保管位置情報に基づいて、廃棄物の保管位置を図１２に示した保管位置表示エリア１０５に表示する。
【００６６】
（４）情報表示処理
図２６は、図１２に示した画面の保管位置表示エリア１０５において選択された管理対象物に関する情報を表示する処理のフローチャートである。まず、作業者が、保管位置表示エリア１０５上で、管理対象物が保管されている位置を選択する（Ｓ２６０１）。作業端末３の情報表示部７２は、保管位置表示エリア１０５上で選択された位置に該当する管理対象物の廃棄物コードを貯蔵所座標ＤＢ（ドラム缶・鉄箱）５１から取得する（Ｓ２６０２）。そして、情報表示部７２は、取得した廃棄物コードに対応する情報を廃棄物情報ＤＢ５４から取得し（Ｓ２６０３）、取得した情報を情報表示エリア１０７に表示する（Ｓ２６０４）。
【００６７】
なお、選択された位置に複数の廃棄物が積み重ねられている場合は、それら全ての情報が情報表示エリア１０７に表示される。また、当該処理は、詳細表示画面及びドラム缶・鉄箱以外の容器の表示画面においても同様に実行される。
【００６８】
（５）保管処理
図２７は、貯蔵所に新たに保管する管理対象物の保管位置を決定する処理のフローチャートである。まず、作業者が、図１２のモード変更エリア１０９の「設置モード」ボタンを選択すると（Ｓ２７０１）、作業端末３は設置モードに切り替わる（Ｓ２７０２）。次に、作業者は、貯蔵所５に新たに保管する管理対象物の廃棄物コードを図１２の仮置き場１０４から選択（クリック）する（Ｓ２７０３）。作業端末３の保管対象入力部７３には、選択された廃棄物コードが入力される（Ｓ２７０４）。
【００６９】
そして、作業者が当該管理対象物の保管される位置を保管位置表示エリア１０５上で指定すると（Ｓ２７０５）、作業端末３の保管位置入力部７４には、保管位置表示エリア１０５上で指定された床面１５における位置が入力される（Ｓ２７０６）。続いて、作業端末３の保管位置表示部７１は、前述した表示切り替え処理（Ｓ２５０２，Ｓ２５０３）を実行し、詳細表示画面に切り替える（Ｓ２７０７）。
【００７０】
位置情報更新部７７は、貯蔵所座標ＤＢ（ドラム缶・鉄箱）５１を参照し、指定された位置に既に保管されている管理対象物の段情報に基づいて、新たに保管される管理対象物の段情報を生成する（Ｓ２７０８）。保管位置表示部７１は、生成した段情報によって示される位置を赤色で示し、図１４に示した確認メッセージ１２０を表示する（Ｓ２７０９）。作業者が保管位置を確認し、確認メッセージ１２０の「はい」ボタン１２１を押下すると（Ｓ２７１０）、位置情報更新部７７は、入力された廃棄物コードと、入力された位置に応じた床面位置情報（行・列）と、生成した段情報（段）とを対応付けて貯蔵所座標ＤＢ（ドラム缶・鉄箱）５１に登録する（Ｓ２７１１）。また、位置情報更新部７７は、貯蔵所座標ＤＢ（ドラム缶・鉄箱）５１に登録した廃棄物コード及び保管位置情報と、作業年月日とを対応付けて廃棄物履歴ＤＢ５５に登録する（Ｓ２７１２）。
【００７１】
その後、保管位置表示部７１は、更新された貯蔵所座標ＤＢ（ドラム缶・鉄箱）５１の内容に基づき、保管位置表示領域１１０の表示を更新する（Ｓ２７１３）。
【００７２】
なお、本実施形態においては、保管対象入力部７３には、仮置き場１０４で選択された廃棄物コードが保管対象の管理対象物の廃棄物コードとして入力されることとしたが、廃棄物コードの入力方法はこれに限られない。例えば、ドラム缶６に廃棄物コードを示すバーコードが付されている場合であれば、バーコードリーダによって読み取られる廃棄物コードを保管対象の廃棄物コードとして入力することも可能である。
【００７３】
（６）移動処理
次に、貯蔵所５に既に保管されている管理対象物を移動する処理について説明する。図２８は、同一の貯蔵所５内で管理対象物を移動する際に実行される処理のフローチャートである。まず、作業者が、図１６のモード変更エリア１０９の「設置モード」ボタンを選択すると（Ｓ２８０１）、作業端末３は設置モードに切り替わる（Ｓ２８０２）。次に、作業者は、位置を移動する管理対象物を、図１６に例示した保管位置表示エリア１０５で選択（クリック）し、当該管理対象物の移動先の位置を保管位置表示エリア１０５内で指定（クリック）する（Ｓ２８０３）。作業端末３の移動元情報入力部７５には、保管位置表示エリア１０５上で指定された移動元の位置が入力され、移動先情報入力部７６には、保管位置表示エリア１０５上で指定された移動先の位置が入力される（Ｓ２８０４）。続いて、作業端末３の保管位置表示部７１は、前述した表示切り替え処理（Ｓ２５０２，Ｓ２５０３）を実行し、図１７に例示した詳細表示画面に切り替える（Ｓ２８０５）。
【００７４】
位置情報更新部７７は、貯蔵所座標ＤＢ（ドラム缶・鉄箱）５１を参照し、移動元の位置に保管されている管理対象物のうち、最上段に保管されている管理対象物の廃棄物コードを取得し（Ｓ２８０６）、さらに、移動先の位置に既に保管されている管理対象物の段情報に基づいて、移動先の位置における当該管理対象物の段情報を生成する（Ｓ２８０７）。
【００７５】
保管位置表示部７１は、生成した段情報によって示される位置を赤色で示し、図１８に例示した確認メッセージ１４０を表示する（Ｓ２８０８）。作業者が保管位置を確認し、確認メッセージ１４０の「はい」ボタン１４１を押下すると（Ｓ２８０９）、位置情報更新部７７は、取得した廃棄物コードに対応するデータを貯蔵所座標ＤＢ（ドラム缶・鉄箱）５１から削除する（Ｓ２８１０）。続いて、位置情報更新部７７は、当該廃棄物コードと、移動元の床面１５における位置に応じた床面位置情報（行・列）と、生成した移動先の段情報（段）とを対応付けて貯蔵所座標ＤＢ（ドラム缶・鉄箱）５１に登録する（Ｓ２８１１）。また、位置情報更新部７７は、貯蔵所座標ＤＢ（ドラム缶・鉄箱）５１に登録した廃棄物コード及び保管位置情報と、作業年月日とを対応付けて廃棄物履歴ＤＢ５５に登録する（Ｓ２８１２）。
【００７６】
その後、保管位置表示部７１は、更新された貯蔵所座標ＤＢ（ドラム缶・鉄箱）５１の内容に基づき、保管位置表示領域１１０の表示を更新する（Ｓ２８１３）。
【００７７】
図２９は、別の貯蔵所５に廃棄物を移動する際に実行される処理のフローチャートである。まず、作業者が、図１９のモード変更エリア１０９の「設置モード」ボタンを選択すると（Ｓ２９０１）、作業端末３は設置モードに切り替わる（Ｓ２９０２）。次に、作業者は、位置を移動する管理対象物を、図１９に例示した保管位置表示エリア１０５で選択（クリック）し、当該管理対象物を仮置き場１０４に移動（クリック）する（Ｓ２９０３）。作業端末３の移動元情報入力部７５には、保管位置表示エリア１０５上で指定された移動元の位置が入力される（Ｓ２９０４）。続いて、作業端末３の保管位置表示部７１は、前述した表示切り替え処理（Ｓ２５０２，Ｓ２５０３）を実行し、図２０に例示した詳細表示画面に切り替える（Ｓ２９０５）。
【００７８】
位置情報更新部７７は、貯蔵所座標ＤＢ（ドラム缶・鉄箱）５１を参照し、移動元の位置に保管されている管理対象物のうち、最上段に保管されている管理対象物の廃棄物コードを取得する（Ｓ２９０６）。保管位置表示部７１は、図２１に例示した廃棄物コードを確認する確認メッセージ１６０を表示する（Ｓ２９０７）。作業者が廃棄物コードを確認し、確認メッセージ１６０の「はい」ボタン１６１を押下すると（Ｓ２９０８）、位置情報更新部７７は、取得した廃棄物コードに対応するデータを貯蔵所座標ＤＢ（ドラム缶・鉄箱）５１から削除する（Ｓ２９０９）。続いて、位置情報更新部７７は、当該廃棄物コードと、移動元の貯蔵所５の貯蔵所コード（棟・階）とを対応付けて仮置きＤＢ５３に登録する（Ｓ２９１０）。
【００７９】
そして、保管位置表示部７１は、更新された貯蔵所座標ＤＢ（ドラム缶・鉄箱）５１及び仮置きＤＢ５３の内容に基づき、保管位置表示領域１１０及び仮置き場１０４の表示を更新する（Ｓ２９１１，Ｓ２９１２）。
【００８０】
その後、更新された仮置きＤＢ５３がＤＢサーバ１にアップロードされ、ＰＣ２を用いて、当該管理対象物に対する貯蔵所コードが移動先の貯蔵所コードに変更される（Ｓ２９１３）。そして、当該仮置きＤＢ５３が再び作業端末３にダウンロードされ、図１５に例示した画面で移動先の貯蔵所が選択され（Ｓ２９１４）、図２７に示した管理対象物の保管処理が実行される（Ｓ２９１５）。
【００８１】
このように、作業端末３にダウンロードされた貯蔵所座標ＤＢ５１，５２、仮置きＤＢ５３、及び廃棄物履歴ＤＢ５５は、前述した各処理において更新される。そして、更新されたこれらのＤＢは、貯蔵所５内での作業終了後に、貯蔵所入口７の無線ＡＰ８を介してＤＢサーバ１にアップロードされる。なお、ＰＣ２は、ＤＢサーバ１にアップロードされた貯蔵所座標ＤＢ５１，５２に基づき、管理対象物の現在の保管位置を示した帳票を出力することができる。また、ＰＣ２は、廃棄物履歴ＤＢ５５に基づき、過去のある時点における保管位置を示した帳票を出力することもできる。
【００８２】
以上、作業端末３において実行される処理について説明した。前述したように、作業端末３においては、貯蔵所５に保管済みのドラム缶６等の管理対処物の保管位置が保管位置表示エリアに視覚的に表示される。したがって、作業者は、保管済みの管理対象物の保管位置をもとに、新たに保管する管理対象物の保管位置を保管位置表示エリア上で指定することができる。そして、このように保管位置表示エリア上で指定された位置が、その管理対象物の保管位置として貯蔵所座標ＤＢ５１，５２に記憶される。
【００８３】
このように、作業端末３を用いることにより、貯蔵所５における複数の管理対象物の保管位置を、床面への表示やＧＰＳ装置等を要することなく、容易に且つ低コストで管理することができる。
【００８４】
また、保管位置表示部７１は、管理対象物の貯蔵所５内における保管位置とともに、管理対象物の識別子である廃棄物コードを保管位置表示エリアに表示することができる。作業者は、保管位置表示エリアに保管位置とともに表示された廃棄物コードと、貯蔵所５に保管された管理対象物に付されている廃棄物コードとを比較することにより、保管位置表示エリアにおける位置が貯蔵所５のどの位置にあたるかを容易に判断することができる。したがって、貯蔵所５における複数の管理対象物の保管位置を、床面への表示やＧＰＳ装置等を要することなく、容易に且つ低コストで管理することができる。
【００８５】
また、作業端末３においては、管理対象物の床面における位置及び当該位置における積み重ねの段数が保管位置表示エリアに表示される。したがって、作業者は、新たに保管する管理対象物の保管位置を決める際に、当該表示を参照することにより、どの位置の何段目に保管することができるかを容易に判断することができる。作業者が保管位置表示エリアで新たに保管する管理対象物の保管位置を指定すると、その位置に既に保管されている管理対象物の段数に基づいて、新たな段数が生成される。そして、生成された段数及び指定された床面における位置が、当該管理対象物の保管位置として貯蔵所座標ＤＢ５１，５２に記憶される。
【００８６】
つまり、貯蔵所５に管理対象物を積み重ねて保管する場合において、複数の管理対象物の保管位置を、床面への表示やＧＰＳ装置等を要することなく、容易に且つ低コストで管理することができる。
【００８７】
また、作業端末３においては、作業者が既に保管されている管理対象物の位置と移動先の位置とを保管位置表示エリア上で指定することにより、貯蔵所座標ＤＢ５１，５２に記憶されている管理対象物の保管位置が更新される。つまり、貯蔵所５に保管済みの管理対象物の保管位置を移動する際に、複数の管理対象物の保管位置を、床面への表示やＧＰＳ装置等を要することなく、容易に且つ低コストで管理することができる。
【００８８】
また、作業端末３においては、作業者が既に保管されている管理対象物の床面位置と移動先の床面位置とを保管位置表示エリア上で指定することにより、移動元の床面位置の最上段に保管されている管理対象物の保管位置が移動先の床面位置の最上段に更新される。つまり、積み重ねられて保管されている管理対象物の保管位置を移動する際に、複数の管理対象物の保管位置を、床面への表示やＧＰＳ装置等を要することなく、容易に且つ低コストで管理することができる。
【００８９】
また、作業端末３においては、管理対象物の貯蔵所５における保管位置の移動の履歴が廃棄物履歴ＤＢ５５に記録される。廃棄物履歴ＤＢ５５を参照することにより、管理対象物がいつどこに保管されていたかを確認することができる。つまり、貯蔵所５における複数の管理対象物の保管位置の履歴情報を、床面への表示やＧＰＳ装置等を要することなく、容易に且つ低コストで管理することができる。
【００９０】
以上本発明の実施形態について説明したが、以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００９１】
【図１】本発明に係る位置情報管理装置の一実施形態である作業端末を含んで構成される情報処理システムの構成を示す図である。
【図２】管理対象物の外観を示す図である。
【図３】貯蔵所の床面を示す図である。
【図４】ドラム缶及び鉄箱の保管の一例を示す図である。
【図５】ドラム缶及び鉄箱以外の容器の保管の一例を示す図である。
【図６】作業端末のハードウェア構成を示す図である。
【図７】管理対象物の貯蔵所５内における保管位置を記憶する貯蔵所座標ＤＢの構造を示す図である。
【図８】貯蔵所に新たに保管される管理対象物に関する情報を記憶する仮置きＤＢの構造を示す図である。
【図９】廃棄物に関する様々な情報を記憶する廃棄物情報ＤＢの構造を示す図である。
【図１０】管理対象物の貯蔵所における移動の履歴を記憶する廃棄物履歴ＤＢの構造を示す図である。
【図１１】作業端末が備える機能の構成を示す図である。
【図１２】貯蔵所にドラム缶又は鉄箱を保管する際の画面の一例を示す図である。
【図１３】貯蔵所にドラム缶又は鉄箱を保管する際の詳細画面の一例を示す図である。
【図１４】貯蔵所にドラム缶又は鉄箱を保管する際の確認メッセージの一例を示す図である。
【図１５】貯蔵所にドラム缶・鉄箱以外の容器を保管する際の画面の一例を示す図である。
【図１６】保管済みの管理対象物を貯蔵所内で移動する際の画面の一例を示す図である。
【図１７】保管済みの管理対象物を貯蔵所内で移動する際の画面の一例を示す図である。
【図１８】保管済みの管理対象物を貯蔵所内で移動する際の確認メッセージの一例を示す図である。
【図１９】保管済みの管理対象物を別の棟または階の貯蔵所に移動する際の画面の一例を示す図である。
【図２０】保管済みの管理対象物を別の棟または階の貯蔵所に移動する際の詳細画面の一例を示す図である。
【図２１】保管済みの管理対象物を別の棟または階の貯蔵所に移動する際の確認メッセージの一例を示す図である。
【図２２】保管済みの管理対象物を仮置き場に移動する際の詳細画面の一例を示す図である。
【図２３】作業端末において画面を起動した際に実行される初期処理のフローチャートである。
【図２４】画面の容器選択エリアにおいて「その他」が選択された際に実行される処理のフローチャートである。
【図２５】画面の表示選択エリアにおいて「詳細」が選択された際に実行される処理のフローチャートである。
【図２６】画面の保管位置表示エリアにおいて選択された管理対象物に関する情報を表示する処理のフローチャートである。
【図２７】貯蔵所に新たに保管する管理対象物の保管位置を決定する処理のフローチャートである。
【図２８】同一の貯蔵所内で管理対象物を移動する際に実行される処理のフローチャートである。
【図２９】別の貯蔵所に管理対象物を移動する際に実行される処理のフローチャートである。
【符号の説明】
【００９２】
１  ＤＢサーバ                          ２  パーソナルコンピュータ（ＰＣ）
３  作業端末                            ４  ネットワーク
５  貯蔵所                              ６  ドラム缶
７  貯蔵所入口                          ８  無線アクセスポイント（ＡＰ）
１０  鉄箱                              １５  床面
１６  保管領域（ドラム缶・鉄箱）        １７  保管領域（その他）
２１，２２  ドラム缶及び鉄箱以外の容器  ３１  ＣＰＵ
３２  メモリ                            ３３  記憶装置
３４  通信インタフェース（Ｉ／Ｆ）      ３５  ディスプレイ
３６  入力装置                          ５１  貯蔵所座標ＤＢ（ドラム缶・鉄箱）
５２  貯蔵所座標ＤＢ（その他）          ５３  仮置きＤＢ
５４  廃棄物情報ＤＢ                    ５５  廃棄物履歴ＤＢ
７０  保管予定表示部                    ７１  保管位置表示部
７２  情報表示部                        ７３  保管対象入力部
７４  保管位置入力部                    ７５  移動元情報入力部
７６  移動先情報入力部                  ７７  位置情報更新部
【図１】
2006282341.tif 000003
【図２】
2006282341.tif 000004
【図３】
2006282341.tif 000005
【図４】
2006282341.tif 000006
【図５】
2006282341.tif 000007
【図６】
2006282341.tif 000008
【図７】
2006282341.tif 000009
【図８】
2006282341.tif 000010
【図９】
2006282341.tif 000011
【図１０】
2006282341.tif 000012
【図１１】
2006282341.tif 000013
【図１２】
2006282341.tif 000014
【図１３】
2006282341.tif 000015
【図１４】
2006282341.tif 000016
【図１５】
2006282341.tif 000017
【図１６】
2006282341.tif 000018
【図１７】
2006282341.tif 000019
【図１８】
2006282341.tif 000020
【図１９】
2006282341.tif 000021
【図２０】
2006282341.tif 000022
【図２１】
2006282341.tif 000023
【図２２】
2006282341.tif 000024
【図２３】
2006282341.tif 000025
【図２４】
2006282341.tif 000026
【図２５】
2006282341.tif 000027
【図２６】
2006282341.tif 000028
【図２７】
2006282341.tif 000029
【図２８】
2006282341.tif 000030
【図２９】
2006282341.tif 000031